(57)【要約】【課題】薄膜トランジスタの不良およびゲート線とデータ線間の短絡の不良を容易に修理できる液晶表示装置を提供する。【解決手段】基板と、基板上に形成され、ゲート線１２１とトランジスタのゲート電極１２４とを含むゲート導電体と、ゲート線と交差するデータ線１７１とゲート電極上に位置する前記トランジスタのソース電極１７３とを含むデータ導電体と、トランジスタのドレイン電極１７５と接続されている画素電極１９１と、を含み、データ線とソース電極とは、第１接続部１７４と第２接続部１７８によって接続されていることを特徴とする液晶表示装置。【選択図】図６
2008033323.tif 000002
【特許請求の範囲】
【請求項１】
基板と、
前記基板上に形成され、ゲート線とトランジスタのゲート電極とを含むゲート導電体と、
前記ゲート線と交差するデータ線と前記ゲート電極上に位置する前記トランジスタのソース電極とを含むデータ導電体と、
前記トランジスタのドレイン電極と接続されている画素電極と、を含み、
前記データ線と前記ソース電極とは、第１接続部と第２接続部によって接続されていることを特徴とする液晶表示装置。
【請求項２】
前記第１接続部および前記第２接続部は、前記ゲート線に対して互いに反対側に配置されていることを特徴とする請求項１に記載の液晶表示装置。
【請求項３】
前記第１接続部および前記第２接続部は、前記ゲート線と重畳しないことを特徴とする請求項１に記載の液晶表示装置。
【請求項４】
前記第１接続部および前記第２接続部は、前記データ線と前記ゲート線が交差する点に対して互いに反対側に配置されていることを特徴とする請求項１に記載の液晶表示装置。
【請求項５】
前記画素電極は、前記ゲート線と斜角をなす切開パターンである第１切開部が形成されていることを特徴とする請求項１に記載の液晶表示装置。
【請求項６】
さらに、前記画素電極と対向する共通電極を含み、
前記共通電極には、前記第１切開部と平行する第２切開部が形成されていることを特徴とする請求項５に記載の液晶表示装置。
【請求項７】
前記画素電極の形状は、前記ゲート線および前記データ線に平行する２対の辺を有することを特徴とする請求項１に記載の液晶表示装置。
【請求項８】
前記画素電極は、互いに離隔した第１副画素電極と第２副画素電極を含むことを特徴とする請求項１に記載の液晶表示装置。
【請求項９】
前記第１副画素電極と前記第２副画素電極の電圧は、互いに異なることを特徴とする請求項８に記載の液晶表示装置。
【請求項１０】
前記第１副画素電極と前記第２副画素電極は、一つの映像情報から得られた互いに異なるデータ電圧の印加を受けることを特徴とする請求項９に記載の液晶表示装置。
【請求項１１】
前記トランジスタは、ドレイン電極が前記第１副画素電極と接続されている第１薄膜トランジスタとドレイン電極が前記第２副画素電極と接続されている第２薄膜トランジスタとを含み、
前記ゲート線は、前記第１薄膜トランジスタの前記ゲート電極と接続されている第１ゲート線と前記第２薄膜トランジスタの前記ゲート電極と接続されている第２ゲート線とを含み、
前記データ線は、前記第１薄膜トランジスタの前記ソース電極と前記第２薄膜トランジスタの前記ソース電極とに接続され、前記第１信号線および第２信号線と交差していることを特徴とする請求項１０に記載の液晶表示装置。
【請求項１２】
前記第１薄膜トランジスタと前記第２薄膜トランジスタは、それぞれ前記第１ゲート線および前記第２ゲート線からの信号により導通し、前記データ線からの信号をそれぞれ前記第１副画素電極と前記第２副画素電極へ伝達することを特徴とする請求項１１に記載の液晶表示装置。
【請求項１３】
前記トランジスタは、ドレイン電極が前記第１副画素電極と接続されている第１薄膜トランジスタとドレイン電極が前記第２副画素電極と接続されている第２薄膜トランジスタとを含み、
前記データ線は、前記第１薄膜トランジスタの前記ソース電極と接続されている第１データ線と前記第２薄膜トランジスタの前記ソース電極と接続されている第２データ線とを含み、
前記ゲート線は、前記第１薄膜トランジスタの前記ゲート電極と前記第２薄膜トランジスタの前記ゲート電極とに接続されていることを特徴とする請求項１０に記載の液晶表示装置。
【請求項１４】
前記第１薄膜トランジスタと前記第２薄膜トランジスタは、それぞれ前記ゲート線からの信号により導通し、前記第１データ線と前記第２データ線とからの信号をそれぞれ前記第１副画素電極と前記第２副画素電極へ伝達することを特徴とする請求項１３に記載の液晶表示装置。
【請求項１５】
前記第１副画素電極と前記第２副画素電極とは、容量性結合されていることを特徴とする請求項９に記載の液晶表示装置。
【請求項１６】
前記トランジスタは、ドレイン電極が前記第１副画素電極と接続されている第１薄膜トランジスタを含み、
前記ゲート線は、前記第１薄膜トランジスタの前記ゲート電極と接続されているゲート線を含み、
前記データ線は、前記第１薄膜トランジスタの前記ソース電極と接続されているデータ線を含むことを特徴とする請求項１５に記載の液晶表示装置。
【請求項１７】
前記画素電極は、前記ゲート線に平行する第１辺と、前記第１辺より長さが短く前記第１辺と隣接する第２辺と、を有することを特徴とする請求項１に記載の液晶表示装置。
【請求項１８】
前記第１辺の長さは、前記第２辺の長さの３倍であることを特徴とする請求項１７に記載の液晶表示装置。
【請求項１９】
基板と、
前記基板上に形成され、ゲート線とトランジスタのゲート電極とを含むゲート導電体と、
前記ゲート線と交差するデータ線と前記ゲート電極上に位置する前記トランジスタのソース電極とを含むデータ導電体と、
前記トランジスタのドレイン電極と接続されている画素電極と、を含み、
前記データ線と前記ソース電極は、少なくとも２つの接続部によって接続されていることを特徴とする液晶表示装置。
【請求項２０】
前記接続部は、少なくとも一部分が前記ゲート導電体と重畳しないことを特徴とする請求項１８に記載の液晶表示装置。
【発明の詳細な説明】
【技術分野】
【０００１】
本発明は、液晶表示装置に関する。
【背景技術】
【０００２】
液晶表示装置は、現在、最も広く用いられている平板表示装置のうちの一つであって、画素電極と共通電極といった電場生成電極が形成されている２枚の表示板と、その間に挿入される液晶層とからなり、電場生成電極に電圧を印加して液晶層に電場を生成し、これにより液晶層の液晶分子の配向を決定し、入射光の偏光を制御することによって映像を表示する。
【０００３】
液晶表示装置は、また、各画素電極に接続されているスイッチング素子、およびスイッチング素子を制御して画素電極に電圧を印加するためのゲート線とデータ線といった複数の信号線を含む。
【０００４】
液晶表示装置に用いられるスイッチング素子は、主に薄膜トランジスタを用いる。薄膜トランジスタは種々の層の薄膜からなる端子を含むが、各端子の間に短絡が生じて修理を行わなければならない場合が発生する。
【発明の開示】
【発明が解決しようとする課題】
【０００５】
本発明が解決しようとする技術的課題は、液晶表示装置の薄膜トランジスタの不良だけでなく、ゲート線及びデータ線の間の短絡の不良も容易に修理できる液晶表示装置を提供することにある。
【課題を解決するための手段】
【０００６】
上記目的を達成するために、本発明に係る液晶表示装置は、基板と、前記基板上に形成され、ゲート線とトランジスタのゲート電極とを含むゲート導電体と、前記ゲート線と交差するデータ線と前記ゲート電極上に位置する前記トランジスタのソース電極とを含むデータ導電体と、前記トランジスタのドレイン電極と接続されている画素電極と、を含み、前記データ線と前記ソース電極とは、第１接続部と第２接続部によって接続されていることを特徴とする。
【０００７】
前記第１接続部および前記第２接続部は、前記ゲート線に対して互いに反対側に配置されうる。
【０００８】
前記第１接続部および前記第２接続部は、ゲート線と重畳しないことが望ましい。
【０００９】
前記第１接続部および前記第２接続部は、前記データ線と前記ゲート線との交差点に対して互いに反対側に配置されうる。
【００１０】
前記画素電極は、前記ゲート線と斜角をなす切開パターンである第１切開部が形成されうる。
【００１１】
さらに、前記画素電極と対向する共通電極を含み、前記共通電極には、前記第１切開部と平行する第２切開部が形成されうる。
【００１２】
前記画素電極の形状は、前記ゲート線および前記データ線に平行する２対の辺を有しうる。
【００１３】
前記画素電極は、互いに離隔した第１副画素電極と第２副画素電極を含みうる。
【００１４】
前記第１副画素電極と前記第２副画素電極の電圧は、互いに異なりうる。
【００１５】
前記第１副画素電極と前記第２副画素電極は、一つの映像情報から得られた互いに異なるデータ電圧の印加を受けうる。
【００１６】
前記トランジスタは、ドレイン電極が前記第１副画素電極と接続されている第１薄膜トランジスタとドレイン電極が前記第２副画素電極と接続されている第２薄膜トランジスタとを含み、前記ゲート線は、前記第１薄膜トランジスタの前記ゲート電極と接続されている第１ゲート線と前記第２薄膜トランジスタの前記ゲート電極と接続されている第２ゲート線とを含み、前記データ線は、前記第１薄膜トランジスタの前記ソース電極と前記第２薄膜トランジスタの前記ソース電極と接続され、前記第１信号線および第２信号線と交差しうる。
【００１７】
前記第１薄膜トランジスタと前記第２薄膜トランジスタは、それぞれ前記第１ゲート線および前記第２ゲート線からの信号により導通し、前記データ線からの信号をそれぞれ前記第１副画素電極と前記第２副画素電極へ伝達しうる。
【００１８】
前記トランジスタは、ドレイン電極が前記第１副画素電極と接続されている第１薄膜トランジスタとドレイン電極が前記第２副画素電極と接続されている第２薄膜トランジスタとを含み、前記データ線は、前記第１薄膜トランジスタの前記ソース電極と接続されている第１データ線と前記第２薄膜トランジスタの前記ソース電極と接続されている第２データ線とを含み、前記ゲート線は、前記第１薄膜トランジスタの前記ゲート電極と前記第２薄膜トランジスタの前記ゲート電極と接続されうる。
【００１９】
前記第１薄膜トランジスタと前記第２薄膜トランジスタは、それぞれ前記ゲート線からの信号により導通し、前記第１データ線と前記第２データ線とからの信号をそれぞれ前記第１副画素電極と前記第２副画素電極へ伝達しうる。
【００２０】
前記第１副画素電極と前記第２副画素電極とは、容量性結合されうる。
【００２１】
前記トランジスタは、ドレイン電極が前記第１副画素電極と接続されている第１薄膜トランジスタを含み、前記ゲート線は、前記第１薄膜トランジスタの前記ゲート電極と接続されているゲート線を含み、前記データ線は、前記第１薄膜トランジスタの前記ソース電極と接続されているデータ線を含みうる。
【００２２】
前記画素電極は、前記ゲート線に平行する第１辺と、前記第１辺より長さが短く前記第１辺と隣接する第２辺と、を有しうる。
【００２３】
前記第１辺の長さは、前記第２辺の長さの３倍でありうる。
【００２４】
基板と、前記基板上に形成され、ゲート線とトランジスタのゲート電極とを含むゲート導電体と、前記ゲート線と交差するデータ線と前記ゲート電極上に位置する前記トランジスタのソース電極とを含むデータ導電体と、前記トランジスタのドレイン電極と接続されている画素電極と、を含み、前記データ線と前記ソース電極は、少なくとも２つの接続部によって接続されうる。
【００２５】
前記接続部は、少なくとも一部分が前記ゲート導電体と重畳しない。
【発明の効果】
【００２６】
本発明によれば、液晶表示装置の薄膜トランジスタの不良だけでなく、ゲート線とデータ線の間の短絡による不良についても容易に修理することができるので、液晶表示装置の歩留まりを向上させることができる。
【発明を実施するための最良の形態】
【００２７】
以下、添付した図面を参照して、本発明の実施形態について本発明の属する技術分野における通常の知識を有する者が実施できるように詳細に説明する。しかし、本発明は以下説明する実施形態に限定されるものではない。
【００２８】
図面においては、種々の層および領域を明確に表現するために厚さを誇張して示している。明細書の全体にわたって同様な部分については同一の図面符号を付けた。層、膜、領域、板などの部分が他の部分の「上(下)」にあるとするとき、これは他の部分の「直上(下)」にある場合だけでなく、その間に他の部分がある場合をも意味する。逆に、ある部分が他の部分の「直上（下）」にあるとするときは、間に他の部分がないことを意味する。
【００２９】
まず、図１および図２を参照して、本発明の第１実施形態に係る液晶表示装置について詳細に説明する。
【００３０】
図１は本発明の第１実施形態に係る液晶表示装置のブロック図であり、図２は本発明の第１実施形態に係る液晶表示装置の画素の等価回路図である。
【００３１】
図１に示すように、本発明の第１実施形態に係る液晶表示装置は、液晶表示板組立体（ｌｉｑｕｉｄ  ｃｒｙｓｔａｌ  ｐａｎｅｌ  ａｓｓｅｍｂｌｙ）３００、液晶表示板組立体３００と接続されたゲート駆動部４００およびデータ駆動部５００、データ駆動部５００に接続された階調電圧生成部８００、ならびにこれらを制御する信号制御部６００を含む。
【００３２】
液晶表示板組立体３００は、複数の信号線（図示せず）と、これに接続され、ほぼ行列状に配列された複数の画素ＰＸとを含む。図２に示すように、液晶表示板組立体３００は、互いに対向する下部表示板１００および上部表示板２００と、その間に入っている液晶層３とを含む。
【００３３】
図１に示すように、信号線は、ゲート信号（「走査信号」とも言う）を伝達する複数のゲート線（図示せず）と、データ信号を伝達する複数のデータ線（図示せず）とを含む。ゲート線は、ほぼ互いに平行に、行方向に伸び、データ線は、ほぼ互いに並行に、列方向に伸びる。
【００３４】
各画素ＰＸ、例えば、ｉ番目（ｉ＝１、２、．．．、ｎ）ゲート線ＧＬと、ｊ番目（ｊ＝１、２、．．．、ｍ）データ線ＤＬとに接続された画素ＰＸは、信号線をなすゲート線ＧＬおよびデータ線ＤＬに接続されたスイッチング素子Ｑと、これに接続された液晶キャパシタ（ｌｉｑｕｉｄ  ｃｒｙｓｔａｌ  ｃａｐａｃｉｔｏｒ）Ｃｌｃと、ストレージキャパシタ（ｓｔｏｒａｇｅｃａｐａｃｉｔｏｒ）Ｃｓｔとを含む。ストレージキャパシタＣｓｔは必要に応じて省略できる。
【００３５】
スイッチング素子Ｑは、下部表示板１００に備えられている薄膜トランジスタなどの三端子素子であって、その制御端子（すなわち、ゲート電極）はゲート線ＧＬと接続され、入力端子（すなわち、ソース電極）はデータ線ＤＬと接続され、出力端子（すなわち、ドレイン電極）は液晶キャパシタＣｌｃおよびストレージキャパシタＣｓｔと接続される。
【００３６】
液晶キャパシタＣｌｃは、下部表示板１００の画素電極１９１と、上部表示板２００の共通電極２７０とを２つの端子とし、２つの電極１９１、２７０の間の液晶層３を誘電体として、容量として機能する。画素電極１９１はスイッチング素子Ｑと接続され、共通電極２７０は上部表示板２００の全面に形成されており、共通電圧Ｖｃｏｍが印加される。図２とは異なり、共通電極２７０が下部表示板１００に備えられる場合もあり、この場合には、２つの電極１９１、２７０のうちの少なくとも一つを線状または棒状に製造しうる。
【００３７】
液晶キャパシタＣｌｃの補助的な役割を果たすストレージキャパシタＣｓｔは、下部表示板１００に具備された別個の維持電極線ＳＬと画素電極１９１とが絶縁体を間に置いて重畳してなり、この別個の信号線には共通電圧Ｖｃｏｍといった決められた電圧が印加される。しかし、ストレージキャパシタＣｓｔは、画素電極１９１が絶縁体を媒介として、すぐ上の前段ゲート線と重畳することにより形成されてもよい。
【００３８】
一方、色表示を実現するためには、各画素ＰＸが基本色（ｐｒｉｍａｒｙ  ｃｏｌｏｒ）のうちの一つを固有に表示したり（空間分割）、各画素ＰＸが時間によって交互に基本色を表示するように（時間分割）して、これら基本色が空間的、時間的に合計されることによって所望の色相が認識されるようにする。基本色としては、赤色、緑色、青色といった三原色がある。図２は、空間分割の例として、各画素ＰＸが画素電極１９１と対応する上部表示板２００の領域に基本色のうちの一つを示すカラーフィルタ２３０を備えている様を示している。図２と異なり、カラーフィルタ２３０は、下部表示板１００の画素電極１９１上または画素電極１９１下に形成することもできる。
【００３９】
液晶表示板組立体３００の外側の一面には、光を偏光させる少なくとも一つの偏光子（図示せず）が付着される。
【００４０】
再び図１を参照する。階調電圧生成部８００は、画素ＰＸの透過率と関連する複数の階調電圧（または基準階調電圧）を生成する。
【００４１】
ゲート駆動部４００は、液晶表示板組立体３００のゲート線と接続され、ゲートオン電圧Ｖｏｎとゲートオフ電圧Ｖｏｆｆとの組み合わせからなるゲート信号Ｖｇをゲート線に印加する。
【００４２】
データ駆動部５００は、液晶表示板組立体３００のデータ線と接続され、階調電圧生成部８００からの階調電圧を選択し、これをデータ信号としてデータ線に印加する。しかし、階調電圧生成部８００は、全階調に対する電圧を全て提供するのではなく、決められた数の基準階調電圧のみを提供し、データ駆動部５００は、基準階調電圧を分圧して全体階調に対応する階調電圧を生成し、この中からデータ信号を選択してもよい。
【００４３】
信号制御部６００は、ゲート駆動部４００およびデータ駆動部５００を制御する。
【００４４】
このような駆動装置である、ゲート駆動部４００、データ起動部５００、信号制御部６００、階調電圧生成部８００各々は、少なくとも一つの集積回路チップの形態で液晶表示板組立体３００上に直接装着されてもよく、フレキシブル印刷回路膜（ｆｌｅｘｉｂｌｅ  ｐｒｉｎｔｅｄ  ｃｉｒｃｕｉｔ  ｆｉｌｍ）（図示せず）上に実装されてＴＣＰ（ｔａｐｅ  ｃａｒｒｉｅｒ  ｐａｃｋａｇｅ）の形態で液晶表示板組立体３００に実装されてもよく、別途の印刷回路基板（ｐｒｉｎｔｅｄ  ｃｉｒｃｕｉｔ  ｂｏａｒｄ）（図示せず）上に実装されてもよい。また、これら駆動装置である、ゲート駆動部４００、データ起動部５００、信号制御部６００、階調電圧生成部８００は、液晶表示板組立体３００に集積されることもできる。また、駆動装置である、ゲート駆動部４００、データ起動部５００、信号制御部６００、階調電圧生成部８００は単一チップに集積することができ、この場合、これら駆動装置のうちの少なくとも一つ、またはこれら駆動装置をなす回路素子のうち少なくとも一つの回路素子が、当該単一チップの外側にあってもよい。
【００４５】
図３〜図５、および前述した図１および図２を参照して、本発明の第１実施形態に係る液晶表示装置の構成要素である液晶表示板組立体について詳細に説明する。
【００４６】
図３は、本発明の第１実施形態に係る液晶表示板組立体の配置図であり、図４および図５は、各々図３に示す液晶表示板組立体のＩＶ−ＩＶ線及びＶ−Ｖ線に沿った断面図である。
【００４７】
図３、図４および図５を参照すれば、本発明の第１実施形態に係る液晶表示装置の構成要素である液晶表示板組立体は、互いに対向する下部表示板１００と上部表示板２００、およびこれら２つの表示板１００、２００の間に挿入される液晶層３を含む。まず、下部表示板１００について説明する。
【００４８】
透明なガラスまたはプラスチックで作られた絶縁基板１１０上に、複数のゲート線（ｇａｔｅ  ｌｉｎｅ）１２１と複数の維持電極線（ｓｔｏｒａｇｅ  ｅｌｅｃｔｒｏｄｅ  ｌｉｎｅｓ）１３１とを含むゲート導電体が形成される。
【００４９】
ゲート線１２１はゲート信号を伝達し、主に横方向に伸びる。各ゲート線１２１は、上下に突出した複数のゲート電極（ｇａｔｅ  ｅｌｅｃｔｒｏｄｅ）１２４と、他の層または外部駆動回路との接続のための広い端部１２９とを含む。ゲート信号を生成するゲート駆動回路（図示せず）は、基板１１０上に実装されるフレキシブル印刷回路膜（図示せず）上に実装されてもよく、基板１１０上に直接実装されてもよく、基板１１０に集積されてもよい。ゲート駆動回路が基板１１０上に集積される場合、ゲート線１２１が延長されてゲート駆動回路と直接接続されうる。
【００５０】
維持電極線１３１には、所定の電圧が印加される。また、維持電極線１３１は、上下に突出した複数の維持電極１３７を含む。維持電極線１３１の形状および配置は多様に変更しうる。
【００５１】
ゲート導電体をなすゲート線１２１と維持電極線１３１は、アルミニウム（Ａｌ）やアルミニウム合金などアルミニウム系金属、銀（Ａｇ）や銀合金など銀系金属、銅（Ｃｕ）や銅合金など銅系金属、モリブデン（Ｍｏ）やモリブデン合金などモリブデン系金属、クロム（Ｃｒ）、タンタル（Ｔａ）およびチタニウム（Ｔｉ）により製造しうる。しかし、これらは、物理的性質の異なる２つの導電膜（図示せず）を含む多重膜構造を有してもよい。多重層膜をなす２つの導電膜のうち一の導電膜は、信号遅延や電圧降下を小さくするために比抵抗（ｒｅｓｉｓｔｉｖｉｔｙ）の小さい金属、例えば、アルミニウム系金属、銀系金属、銅系金属でありうる。そして、他の導電膜は、他の物質、特にＩＴＯ（ｉｎｄｉｕｍ  ｔｉｎ  ｏｘｉｄｅ）およびＩＺＯ（ｉｎｄｉｕｍ  ｚｉｎｃ  ｏｘｉｄｅ）との物理的、化学的、電気的接触特性に優れた物質、例えば、モリブデン系金属、クロム、タンタル、チタニウムでありうる。このような組み合わせの例としては、クロム下部膜とアルミニウム（合金）上部膜、およびアルミニウム（合金）下部膜とモリブデン（合金）上部膜がある。しかし、ゲート線１２１、維持電極線１３１は、その他にも多様な金属または導電体により製造されうる。
【００５２】
ゲート線１２１、維持電極線１３１の側面は、基板１１０面に対して傾斜しており、その傾斜角は約３０゜〜約８０゜であることが望ましい。
【００５３】
ゲート線１２１、維持電極線１３１上には、窒化ケイ素（ＳｉＮｘ）または酸化ケイ素（ＳｉＯｘ）からなるゲート絶縁膜（ｇａｔｅ  ｉｎｓｕｌａｔｉｎｇ  ｌａｙｅｒ）１４０が形成される。
【００５４】
ゲート絶縁膜１４０上には、水素化非晶質シリコン（ｈｙｄｒｏｇｅｎａｔｅｄ  ａｍｏｒｐｈｏｕｓ  ｓｉｌｉｃｏｎ）（以後、非晶質シリコンは、略してａ−Ｓｉと記す）、または多結晶シリコン（ｐｏｌｙｓｉｌｉｃｏｎ）からなる複数の島型半導体１５４が形成される。半導体１５４はゲート電極１２４上に位置する。
【００５５】
半導体１５４上には、一対の島型オーミックコンタクト部材（ｏｈｍｉｃ  ｃｏｎｔａｃｔ）１６３、１６５が形成される。オーミックコンタクト部材１６３、１６５は、リンなどのｎ型不純物が高濃度にドーピングされているｎ＋水素化非晶質シリコンといった物質、またはシリサイド（ｓｉｌｉｃｉｄｅ）により製造されうる。
【００５６】
半導体１５４とオーミックコンタクト部材１６３、１６５の側面も、基板１１０面に対して傾斜しており、傾斜角は３０゜〜８０゜程度でありうる。
【００５７】
オーミックコンタクト部材１６３、１６５およびゲート絶縁膜１４０上には、複数のデータ線（ｄａｔａ  ｌｉｎｅ）１７１と複数のドレイン電極（ｄｒａｉｎ  ｅｌｅｃｔｒｏｄｅ）１７５とを含むデータ導電体が形成されうる。
【００５８】
データ線１７１はデータ信号を伝達し、主に縦方向に伸びてゲート線１２１および維持電極線１３１と交差する。各データ線１７１はゲート電極１２４に向かって各々伸びて、Ｕ字状に曲がった複数のソース電極（ｓｏｕｒｃｅ  ｅｌｅｃｔｒｏｄｅ）１７３と、他の層またはデータ駆動部５００との接続のために面積の広い端部１７９とを含む。データ駆動部５００が基板１１０上に集積されている場合、データ線１７１が延長されてこれと直接接続されうる。
【００５９】
データ線１７１とソース電極１７３は、第１接続部１７４および第２接続部１７８を通じて互いに接続される。第１接続部１７４および第２接続部１７８は、ゲート線１２１に対して互いに対称的に位置し、第１接続部１７４および第２接続部１７８はゲート線１２１と重畳しない。
【００６０】
ドレイン電極１７５は、データ線１７１と分離され、ゲート電極１２４を中心にソース電極１７３と対向する。各ドレイン電極１７５は、広い一端部と棒状の他端部とを有しており、棒状の端部はソース電極１７３によって一部取り囲まれる。
【００６１】
一つのゲート電極１２４、一つのソース電極１７３、および一つのドレイン電極１７５は、半導体１５４とともに一つの薄膜トランジスタ（ｔｈｉｎ  ｆｉｌｍ  ｔｒａｎｓｉｓｔｏｒ、ＴＦＴ）をなし、薄膜トランジスタのチャネルは、ソース電極１７３とドレイン電極１７５との間の半導体１５４に形成される。
【００６２】
データ導電体をなす、データ線１７１、ドレイン電極１７５は、モリブデン、クロム、タンタルおよびチタニウムなどの耐火性金属（ｒｅｆｒａｃｔｏｒｙ  ｍｅｔａｌ）、またはこれらの合金からなることが望ましく、耐火性金属膜（図示せず）と低抵抗導電膜（図示せず）とを含む多重膜構造を有しうる。多重膜構造の例としては、クロムまたはモリブデン（合金）下部膜とアルミニウム（合金）上部膜の二重膜、モリブデン（合金）下部膜とアルミニウム（合金）中間膜とモリブデン（合金）上部膜の三重膜がある。しかし、データ導電体をなす、データ線１７１、ドレイン電極１７５は、その他にも多様な金属または導電体からなりうる。
【００６３】
データ導電体をなす、データ線１７１、ドレイン電極１７５も、その側面が基板１１０面に対して３０゜〜８０゜程度の傾斜角で傾斜していることが望ましい。
【００６４】
オーミックコンタクト部材１６３、１６５は、その下の半導体１５４とその上のデータ導電体をなす、データ線１７１、ドレイン電極１７５との間にのみ存在し、これらの間の接触抵抗を小さくする。半導体１５４は、ソース電極１７３とドレイン電極１７５との間といった、データ導電体をなすデータ線１７１、ドレイン電極１７５によって覆われずに露出した部分を有する。
【００６５】
データ導電体をなす、データ線１７１、ドレイン電極１７５および半導体１５４の露出した部分上には、保護膜（ｐａｓｓｉｖａｔｉｏｎ  ｌａｙｅｒ）１８０が形成される。保護膜１８０は無機絶縁物または有機絶縁物からなり、表面が平坦でありうる。有機絶縁物は４．０以下の誘電定数を有することが望ましく、感光性（ｐｈｏｔｏｓｅｎｓｉｔｉｖｉｔｙ）を有してもよい。しかし、保護膜１８０は、有機膜の優れた絶縁特性を生かしながら、半導体１５４の露出した部分に損傷を与えないように、下部無機膜と上部有機膜の二重膜構造を有することができる。
【００６６】
保護膜１８０には、データ線１７１の端部１７９とドレイン電極１７５の一端部を各々露出する複数のコンタクトホール（ｃｏｎｔａｃｔ  ｈｏｌｅ）１８２、１８５が形成され、保護膜１８０とゲート絶縁膜１４０には、ゲート線１２１の端部１２９を各々露出する複数のコンタクトホール１８１が形成される。
【００６７】
保護膜１８０上には、複数の画素電極（ｐｉｘｅｌ  ｅｌｅｃｔｒｏｄｅ）１９１および複数のコンタクト補助部材（ｃｏｎｔａｃｔ  ａｓｓｉｓｔａｎｔ）８１、８２が形成される。これらは、ＩＴＯまたはＩＺＯといった透明な導電物質や、アルミニウム、銀、クロムまたはその合金などの反射性金属からなりうる。
【００６８】
画素電極１９１は、コンタクトホール１８５を通じてドレイン電極１７５と物理的、電気的に接続され、ドレイン電極１７５からデータ信号電圧の印加を受ける。データ信号電圧が印加された画素電極１９１は、共通電圧（ｃｏｍｍｏｎ  ｖｏｌｔａｇｅ）の印加を受ける共通電極表示板２００の共通電極（ｃｏｍｍｏｎ  ｅｌｅｃｔｒｏｄｅ）２７０とともに電場を生成することによって、２つの電極１９１、２７０の間の液晶層３の液晶分子３１の方向を決定する。このように決定された液晶分子３１の方向によって、液晶層３を通過する光の偏光が変わる。画素電極１９１と共通電極２７０は、キャパシタ（以下、「液晶キャパシタ（ｌｉｑｕｉｄ  ｃｒｙｓｔａｌ  ｃａｐａｃｉｔｏｒ）」と称する）を構成し、薄膜トランジスタがターンオフされた後も印加された電圧を維持する。
【００６９】
画素電極１９１は、維持電極１３７ａ、１３７ｂをはじめとする維持電極線１３１と重畳し、容量を形成する。画素電極１９１が維持電極線１３１と重畳して形成する容量を「ストレージキャパシタ（ｓｔｏｒａｇｅ  ｃａｐａｃｉｔｏｒ）」といい、ストレージキャパシタは液晶キャパシタの電圧維持能力を強化する。
【００７０】
各画素電極１９１は、ゲート線１２１またはデータ線１７１とほぼ平行する２対の辺を有する四角形状である。各画素電極１９１は、右側の角が面取りされて（ｃｈａｍｆｅｒｅｄ）斜辺をなし、斜辺はゲート線１２１に対して約４５゜の角度をなす。
【００７１】
画素電極１９１には、第１上部切開部９１ａ、第１下部切開部９１ｂ、第２上部切開部９２ａ、および第２下部切開部９２ｂが形成され、画素電極１９１は、これら切開部９１ａ、９１ｂ、９２ａ、９２ｂによって複数の領域（ｐａｔｉｔｉｏｎ）に分割される。切開部９１ａ、９１ｂ、９２ａ、９２ｂは、画素電極１９１を二等分する維持電極線１３１に対してほぼ反転対称をなす。
【００７２】
切開部９１ａ、９１ｂ、９２ａ、９２ｂは、ほぼ画素電極１９１の右側辺から左側辺に斜めに伸びる。第１上部切開部９１ａおよび第２上部切開部９２ａと、第１下部切開部９１ｂおよび第２下部切開部９２ｂ各々は、維持電極線１３１に対して上半分の部分と下半分の部分に各々位置している。第１上部切開部９１ａおよび第２上部切開部９２ａと、第１下部切開部９１ｂおよび第２下部切開部９２ｂは、ゲート線１２１に対して約４５゜の角度をなして互いに垂直に伸びる。
【００７３】
したがって、画素電極１９１の下半分の部分は、第１下部切開部９１ｂおよび第２下部切開部９２ｂによって３つの領域（ｐａｒｔｉｔｉｏ）に分割され、上半分の部分も第１上部切開部９１ａおよび第２上部切開部９２ａによって３つの領域に分割される。このとき、領域の数または切開部の数は、画素電極１９１の大きさ、画素電極１９１の横辺と縦辺の長さの比、液晶層３の種類や特性など設計要素によって変わりうる。
【００７４】
コンタクト補助部材８１、８２は、各々コンタクトホール１８１、１８２を通じてゲート線１２１の端部１２９およびデータ線１７１の端部１７９と接続される。コンタクト補助部材８１、８２は、ゲート線１２１の端部１２９およびデータ線１７１の端部１７９と外部装置との接着性を補完し、保護する。
【００７５】
次に、上部表示板２００について説明する。
【００７６】
透明なガラスまたはプラスチックで作られた絶縁基板２１０上に、遮光部材（ｌｉｇｈｔ  ｂｌｏｃｋｉｎｇ  ｍｅｍｂｅｒ）２２０が形成される。遮光部材２２０はブラックマトリックス（ｂｌａｃｋ  ｍａｔｒｉｘ）ともいい、画素電極１９１の間の光漏れを防止する。遮光部材２２０は、データ線１７１に対応する線状部分と薄膜トランジスタに対応する面状部分とを含み、画素電極１９１の間の光漏れを防止し、画素電極１９１と対向する開口領域を定義する。遮光部材２２０は、画素電極１９１と対向して画素電極１９１とほとんど同一の形状を有する複数の開口部（図示せず）を有することもできる。
【００７７】
絶縁基板２１０上には、また、複数のカラーフィルタ２３０が形成される。カラーフィルタ２３０は、遮光部材２３０によって取り囲まれた領域内にほぼ存在し、画素電極１９１の列に沿って縦方向に長く伸びる。各カラーフィルタ２３０は、赤色、緑色および青色の三原色など基本色（ｐｒｉｍａｒｙ  ｃｏｌｏｒ）のうちの一つを表示しうる。
【００７８】
カラーフィルタ２３０および遮光部材２２０上には蓋膜（ｏｖｅｒｃｏａｔ）２５０が形成される。蓋膜２５０は、絶縁物で作ることができ、カラーフィルタ２３０が露出することを防止し、平坦面を提供する。蓋膜２５０は省略できる。
【００７９】
蓋膜２５０上には共通電極２７０が形成される。共通電極２７０は、ＩＴＯ、ＩＺＯなどの透明な導電体などで作られ、共通電極２７０には複数の切開部７１、７２ａ、７２ｂのグループが形成される。
【００８０】
一つの切開部７１〜７２ｂのグループは、一つの画素電極１９１と対向し、中央切開部７１、下部切開部７２ａ、および上部切開部７２ｂを含む。切開部７１〜７２ｂ各々は、画素電極１９１の隣接切開部９１〜９２ｂの間、または切開部９２ａ、９２ｂと画素電極１９１の面取りされた斜辺９０ａ、９０ｂとの間に配置する。また、各切開部７１〜７２ｂは、画素電極１９１の下部切開部９２ａまたは上部切開部９２ｂとほとんど平行に伸びた少なくとも一つの斜線部を含む。切開部７１〜７２ｂは、維持電極線１３１に対してほぼ反転対称をなす。
【００８１】
下部切開部７２ａおよび上部切開部７２ｂ各々は、斜線部、横部、および縦部を含みうる。斜線部は、ほぼ画素電極１９１の上側または下側辺から左側辺に伸びる。横部および縦部は、斜線部の各端から画素電極１９１の辺に沿って辺と重畳して伸び、斜線部と鈍角をなす。
【００８２】
中央切開部７１は、中央縦部、一対の斜線部、および一対の縦断縦部を含む。中央縦部は、ほぼ画素電極１９１の左側辺から維持電極線１３１に対して垂直に伸びる。一対の斜線部は、中央横部の端から画素電極１９１の右側辺に向かって中央横部と鈍角をなしながら、各々下部切開部７２ａおよび上部切開部７２ｂとほぼ平行に伸びる。縦断縦部は、対応する斜線部の端から画素電極１９１の右側辺に沿って右側辺と重畳しながら伸び、斜線部と鈍角をなす。
【００８３】
切開部７１〜７２ｂの数も設計要素によって変わることがあり、遮光部材２２０が切開部７１〜７２ｂと重畳して切開部７１〜７２ｂの付近の光漏れを遮断することができる。
【００８４】
少なくとも一つの切開部７１〜７２ｂ、９１ａ、９１ｂ、９２ａ、９２ｂは、突起（ｐｒｏｔｒｕｓｉｏｎ）する部分（図示せず）や陥没（ｄｅｐｒｅｓｓｉｏｎ）する部分（図示せず）に代替できる。突起する部分は、有機物または無機物で作ることができ、電場生成電極１９１、２７０の上または下に配置されうる。
【００８５】
表示板１００、２００の内側面には配向膜（ａｌｉｇｎｍｅｎｔ  ｌａｙｅｒ）１１、２１が形成され、これらの配向板は垂直配向膜であってもよい。
【００８６】
表示板１００、２００の外側面には偏光子（ｐｏｌａｒｉｚｅｒ）１２、２２が備えられるが、２つの偏光子１２、２２の偏光軸は直交し、このうちの一つの偏光軸はゲート線１２１ａ、１２１ｂに対して平行とすることが望ましい。反射型液晶表示装置の場合は、２つの偏光子１２、２２のうちの一つを省略できる。
【００８７】
液晶表示装置は、偏光子１２、２２、位相遅延膜、表示板１００、２００、および液晶層３に光を供給する照明部（ｂａｃｋｌｉｇｈｔ  ｕｎｉｔ）（図示せず）を含むことができる。
【００８８】
液晶層３は負の誘電率異方性を有し、液晶層３の液晶分子は、電場のない状態でその長軸が２つの表示板の表面に対して垂直をなすように配向される。
【００８９】
次に、液晶表示装置の動作について詳細に説明する。
【００９０】
信号制御部６００は、外部のグラフィック制御器（図示せず）から入力映像信号Ｒ、Ｇ、Ｂおよびその表示を制御する入力制御信号を受信する。入力映像信号Ｒ、Ｇ、Ｂは、各画素ＰＸの輝度（ｌｕｍｉｎａｎｃｅ）情報を含んでおり、輝度は決められた数、例えば、１０２４（＝２１０）、２５６（＝２８）または６４（＝２６）個の階調（ｇｒａｙ）を有する。入力制御信号の例としては、垂直同期信号Ｖｓｙｎｃ、水平同期信号Ｈｓｙｎｃ、メインクロックＭＣＬＫ、およびデータイネーブル信号ＤＥがありうる。
【００９１】
信号制御部６００は、入力映像信号Ｒ、Ｇ、Ｂと入力制御信号に基づいて、入力映像信号Ｒ、Ｇ、Ｂを液晶表示板組立体３００およびデータ駆動部５００の動作条件に合うように適切に処理し、ゲート制御信号ＣＯＮＴ１およびデータ制御信号ＣＯＮＴ２を生成した後、ゲート制御信号ＣＯＮＴ１をゲート駆動部４００に送信し、データ制御信号ＣＯＮＴ２と処理した映像信号ＤＡＴをデータ駆動部５００に出力する。出力映像信号ＤＡＴはデジタル信号であって、決められた数の値（または階調）を有する。
【００９２】
ゲート制御信号ＣＯＮＴ１は、走査の開始を指示する走査開始信号ＳＴＶと、ゲートオン電圧Ｖｏｎの出力周期を制御する少なくとも一つのクロック信号とを含む。ゲート制御信号ＣＯＮＴ１は、ゲートオン電圧Ｖｏｎの持続時間を限定する出力イネーブル信号ＯＥをさらに含みうる。
【００９３】
データ制御信号ＣＯＮＴ２は、一群の副画素に対する映像データの伝送開始を知らせる水平同期開始信号ＳＴＨ、液晶表示板組立体３００にデータ信号の印加を指示するロード信号ＬＯＡＤ、およびデータクロック信号ＨＣＬＫを含む。データ制御信号ＣＯＮＴ２は、また、共通電圧Ｖｃｏｍに対するデータ信号の電圧極性（以下、「データ信号の極性」と称する）を反転させる反転信号ＲＶＳをさらに含みうる。
【００９４】
信号制御部６００からのデータ制御信号ＣＯＮＴ２によって、データ駆動部５００は一群の副画素に対するデジタル映像信号ＤＡＴを受信し、各デジタル映像信号ＤＡＴに対応する階調電圧を選択することによって、デジタル映像信号ＤＡＴをアナログデータ信号に変換した後、これを対応するデータ線に印加する。
【００９５】
ゲート駆動部４００は、信号制御部６００からのゲート制御信号ＣＯＮＴ１によってゲートオン電圧Ｖｏｎをゲート線に印加し、このゲート線に接続したスイッチング素子を導通させる。そうすると、データ線に印加されたデータ信号が導通したスイッチング素子を通じて対応する画素に印加される。
【００９６】
１水平周期（「１Ｈ]」と記すこともあり、水平同期信号Ｈｓｙｎｃおよびデータイネーブル信号ＤＥの一周期と同一である）を単位としてこのような過程を繰り返すことにより、全ての画素ＰＸにデータ信号を印加して１フレーム（ｆｒａｍｅ）の映像を表示する。
【００９７】
１フレームが終了すると、次のフレームが開始し、各画素ＰＸに印加されるデータ信号の極性が直前フレームにおける極性と反対になるように、データ駆動部５００に印加される反転信号ＲＶＳの状態が制御される（これを、「フレーム反転」と称する）。この時、１フレーム内でも反転信号（ＲＶＳ）の特性により、一つのデータ線を通じて流れるデータ信号の極性が変わったり（例：行反転、点反転）、一群の画素に印加されるデータ信号の極性も互いに異なるようにさせることがある。（例：列反転、点反転）。
【００９８】
次に、図６、図７、および前述した図４を参照して、本発明の第１実施形態に係る液晶表示装置において、液晶表示装置を修理する方法について詳細に説明する。
【００９９】
図６および図７ａは、各々本発明の第１実施形態に係る液晶表示装置において、これを修理する方法を示す図面であり、図７ｂは、図７ａのＶＩＩｂ−ＶＩＩｂ線に沿った断面図である。
【０１００】
図４を参照すれば、薄膜トランジスタを構成しているゲート電極１２４、ソース電極１７３とドレイン電極１７５は、断面図上、ゲート絶縁膜１４０、半導体層１５４、およびオーミックコンタクト部材１６３、１６５を間に置いて対向する。ゲート絶縁膜１４０、半導体層１５４、およびオーミックコンタクト部材１６３、１６５はいずれも薄膜であるので、工程上の誤差などによってゲート電極１２４、ソース電極１７３、およびドレイン電極１７５の間に短絡（ｓｈｏｒｔ）が起こりうる。これによって、該当する薄膜トランジスタは正常機能を発揮しえず、該当する画素は液晶表示装置の正常な表示動作に寄与できない不良画素となる。
【０１０１】
このような場合には、データ線１７１とソース電極１７３とを接続する第１接続部１７４および第２接続部１７８をレーザによって切断し、データ線１７１とソース電極１７３とを電気的、物理的に分離させる。そうすると、データ線１７１を流れるデータ電圧はソース電極１７３に印加されず、薄膜トランジスタが非正常的に動作することを防止できる。
【０１０２】
第１接続部１７４および第２接続部１７８の切断によってフローティング（ｆｌｏａｔｉｎｇ）状態となる画素電極１９１は、維持電極線１３１とレーザによって短絡させる。そうすると、維持電極線１３１を流れる共通電圧Ｖｃｏｍが画素電極１９１に常に印加されるので、画素電極１９１はブラック状態を維持し、これによって不良画素は液晶表示装置の表示動作から排除することができる。
【０１０３】
図７ａおよび図７ｂに示すように、データ線１７１とゲート線１２１とが交差する部分には半導体片１５３が形成される。半導体片１５３は表面のプロファイルをスムースにすることによってデータ線１７１が断線することを防止する。この部分でゲート線１２１とデータ線１７１との間には、ゲート絶縁膜１４０、半導体片１５３、オーミックコンタクト部材１６０が積層されているので、ゲート線１２１とデータ線１７１とは互いに絶縁されている状態である。しかし、ゲート絶縁膜１４０、半導体片１５３、およびオーミックコンタクト部材１６０はいずれも薄膜であるので、ゲート線１２１とデータ線１７１との間に短絡が起こりうる。
【０１０４】
このような場合には、図７ａに示すように、ゲート線１２１とデータ線１７１との交差地点がデータ線１７１から分離されるようにデータ線１７１の２つの部分を切断する。このとき、データ線１７１の第１切断線ＣＬ１および第２切断線ＣＬ２は、第１接続部１７４と第２接続部１７８との間である。そうすると、第１切断線ＣＬ１の上側のデータ線１７１に沿って電導されるデータ電圧は、データ線１７１とゲート線１２１との交差部の代りに第２接続部１７８、ソース電極１７３、および第１接続部１７４を通じて第２切断線ＣＬ２の下のデータ線１７１に沿って電導さるようになる。したがって、データ電圧は、データ線１７１とゲート線１２１との短絡に影響を受けず、円滑に電導される。
【０１０５】
このように本発明の第１実施形態に係る液晶表示装置は、薄膜トランジスタを構成するゲート電極１２４、ソース電極１７３、およびドレイン電極１７５の間の短絡だけでなく、データ線１７１とゲート線１２１との間の短絡も容易に修理できる。
【０１０６】
以下、図８〜図１１を参照して、本発明の第２実施形態に係る液晶表示装置の構成要素である液晶表示板組立体について詳細に説明する。
【０１０７】
図８は、本発明の第２実施形態に係る液晶表示装置の構成要素である液晶表示板組立体の２つの副画素に関する等価回路図である。
【０１０８】
図８に示すように、各画素ＰＸは一対の副画素を含み、各副画素は液晶キャパシタ（ｌｉｑｕｉｄ  ｃｒｙｓｔａｌ  ｃａｐａｃｉｔｏｒ）Ｃｌｃａ、Ｃｌｃｂをなす。２つの副画素のうちの少なくとも一つは、ゲート線、データ線、および液晶キャパシタＣｌｃａ、Ｃｌｃｂと接続されたスイッチング素子（図示せず）を含む。
【０１０９】
液晶キャパシタＣｌｃａ／Ｃｌｃｂは、下部表示板１００の副画素電極ＰＥａ／ＰＥｂと、上部表示板２００の共通電極２７０を２つの端子とし、副画素電極ＰＥａ／ＰＥｂと共通電極２７０との間の液晶層３を誘電体とした容量として機能する。一対の副画素電極ＰＥａ、ＰＥｂは互いに分離され、一つの画素電極ＰＥをなす。共通電極２７０は上部表示板２００の全面に形成され、共通電圧Ｖｃｏｍの印加を受ける。液晶層３は負の誘電率異方性を有し、液晶層３の液晶分子は、電場が無い状態でその長軸が２つの表示板の表面に対して垂直をなすように配向されうる。
【０１１０】
その他、カラーフィルタ２３０および偏光子（図示せず）に関する内容は第１実施形態における説明と重複するので省略する。
【０１１１】
以下、図９、図１０、図１１、および前述した図１および図８を参照して、本発明の第２実施形態に係る液晶表示装置の構成要素である液晶表示板組立体について詳細に説明する。
【０１１２】
図９は、本発明の第２実施形態に係る液晶表示装置の構成要素である液晶表示板組立体の一つの画素の等価回路図である。
【０１１３】
図９に示すように、第２実施形態に係る液晶表示装置の構成要素である液晶表示板組立体は、複数対のゲート線ＧＬａ、ＧＬｂ、複数のデータ線ＤＬ、および複数の維持電極線ＳＬを含む信号線と、これに接続された複数の画素ＰＸとを含む。
【０１１４】
各画素ＰＸは、一対の副画素ＰＸａ、ＰＸｂを含み、各副画素ＰＸａ／ＰＸｂは、各々対応するゲート線（第１ゲート線／第２ゲート線）ＧＬａ／ＧＬｂおよびデータ線ＤＬに接続されるドランジスタからなるスイッチング素子（第１薄膜トランジスタ／第２薄膜トランジスタ）Ｑａ／Ｑｂと、これに接続された液晶キャパシタＣｌｃａ／Ｃｌｃｂと、スイッチング素子Ｑａ／Ｑｂおよび維持電極線ＳＬに接続されるストレージキャパシタ（ｓｔｏｒａｇｅ  ｃａｐａｃｉｔｏｒ）Ｃｓｔａ／Ｃｓｔｂとを含む。
【０１１５】
各スイッチング素子Ｑａ／Ｑｂは、下部表示板１００に備えられている薄膜トランジスタといった三端子素子であって、その制御端子はゲート線ＧＬａ／ＧＬｂと接続されており、入力端子はデータ線ＤＬと接続されており、出力端子は液晶キャパシタＣｌｃａ／ＣｌｃｂおよびストレージキャパシタＣｓｔａ／Ｃｓｔｂと接続される。
【０１１６】
液晶キャパシタＣｌｃａ／Ｃｌｃｂの補助的な役割を果たすストレージキャパシタＣｓｔａ／Ｃｓｔｂは、下部表示板１００に具備された維持電極線ＳＬと画素電極ＰＥとが絶縁体を間に介して重畳してなり、維持電極線ＳＬには共通電圧Ｖｃｏｍといった決められた電圧が印加される。ここで、ストレージキャパシタＣｓｔａ、Ｃｓｔｂは、副画素電極（第１副画素電極、第２副画素電極）ＰＥａ、ＰＥｂが絶縁体を介してすぐ上の前段ゲート線と重畳することによって形成してもよい。
【０１１７】
液晶キャパシタＣｌｃａ、Ｃｌｃｂについては第１実施形態についての説明において述べたので、詳細な説明は省略する。
【０１１８】
このような液晶表示板組立体を含む液晶表示装置においては、信号制御部６００が一つの画素ＰＸに対する入力映像信号Ｒ、Ｇ、Ｂを受信して、２つの副画素ＰＸａ、ＰＸｂに対する出力映像信号ＤＡＴに変換してデータ駆動部５００に伝送することができる。これとは異なり、階調電圧生成部８００において２つの副画素ＰＸａ、ＰＸｂに対する階調電圧集合を別途に作って、これを交互にデータ駆動部５００に提供したり、データ駆動部５００でこれを交互に選択したりすることによって、２つの副画素ＰＸａ、ＰＸｂに互いに異なる電圧を印加してもよい。ただし、このとき、２つの副画素ＰＸａ、ＰＸｂの合成ガンマ曲線が、正面における基準ガンマ曲線に近くなるように映像信号を補正するか、または階調電圧集合を作ることが望ましい。例えば、正面における合成ガンマ曲線は、この液晶表示板組立体に最も適するように決められた正面における基準ガンマ曲線と一致するようにし、側面における合成ガンマ曲線は正面における基準ガンマ曲線に最も近くなるようにする。
【０１１９】
次に、図９に示す本発明の第２に実施形態に係る液晶標示装置の構成要素である液晶表示板組立体について、図１０および図１１を参照して詳細に説明する。
【０１２０】
図１０は、本発明の第２実施形態に係る液晶表示装置の構成要素である液晶表示板組立体の配置図であり、図１１は、図１０に示す液晶表示板組立体のＸＩ−ＸＩ線に沿った断面図である。
【０１２１】
図１０および図１１に示す本発明の第２実施形態に係る液晶表示装置の構成要素である液晶表示板組立体も、互いに対向する下部表示板１００と上部表示板２００、およびこれら２つの表示板の間に入っている液晶層３を含む。
【０１２２】
本実施形態に係る液晶表示板組立体の層状構造は、ほとんど図３〜図５に示す本発明の第１実施形態に係る液晶表示装置の構成要素である液晶表示板組立体の層状構造と同様である。
【０１２３】
図１０および図１１を参照して、下部表示板について説明する。絶縁基板１１０上に、複数対の第１ゲート線１２１ａおよび第２ゲート線１２１ｂと、維持電極線１３１とを含む複数のゲート導電体が形成される。各ゲート線１２１ａ、１２１ｂは、第１ゲート電極１２４ａ、第２ゲート電極１２４ｂ、および端部１２９ａ、１２９ｂを含む。維持電極線１３１は維持電極１３７ａ、１３７ｂを含む。ゲート導電体をなす第１ゲート線１２１ａ、第２ゲート線１２１ｂと維持電極線１３１上にはゲート絶縁膜１４０が形成される。ゲート絶縁膜１４０上には島型半導体１５４ａ、１５４ｂが形成され、その上には複数のオーミックコンタクト部材１６３ａ、１６５ａが形成される。オーミックコンタクト部材１６３ａ、１６５ａおよびゲート絶縁膜１４０上には、複数のデータ線１７１と、複数対の第１ドレイン電極１７５ａおよび第２ドレイン電極１７５ｂとを含むデータ導電体が形成されている。データ線１７１は、複数対の第１ソース電極１７３ａおよび第２ソース電極１７３ｂと、端部１７９とを含む。第１ソース電極１７３ａおよび第２ソース電極１７３ｂは、各々第１接続部１７４ａ、１７４ｂおよび第２接続部１７８ａ、１７８ｂを通じてデータ線１７１に接続される。データ導電体をなすデータ線１７１、第１ドレイン電極１７５ａ、第２ドレイン電極１７５ｂと、露出した半導体１５４ａ、１５４ｂの部分上には保護膜１８０が形成され、保護膜１８０およびゲート絶縁膜１４０には複数のコンタクトホール１８１ａ、１８１ｂ、１８２、１８５ａ、１８５ｂが形成される。保護膜上には、複数の画素電極１９１と、複数のコンタクト補助部材８１ａ、８１ｂ、８２とが形成されている。画素電極１９１、コンタクト補助部材８１ａ、８１ｂ、８２、および保護膜上には、配向膜１１が形成されている。
【０１２４】
上部表示板は、絶縁基板２１０上に、遮光部材２２０、蓋膜２５０、共通電極２７０、および配向膜２１が形成される。
【０１２５】
図１０および図１１に示した本発明の第２実施形態に係る液晶表示装置の構成要素である液晶表示板組立体は、図３〜図５に示した本発明の第１実施形態に係る液晶表示装置の構成要素である液晶表示板組立体とは異なり、画素電極１９１が互いに分離された第１副画素電極１９１ａおよび第２副画素電極１９１ｂを含む。第１副画素電極１９１ａおよび第２副画素電極１９１ｂは、間隙９４を介して互いに離隔される。間隙９４は斜線部を含み、斜線部はゲート線１２１と４５゜の角度をなす。
【０１２６】
一対の副画素電極１９１ａ、１９１ｂには、一つの入力映像信号に対して予め設定された互いに異なるデータ電圧が印加されるが、その大きさは副画素電極１９１ａ、１９１ｂの大きさおよび形状に応じて設定されうる。副画素電極１９１ａ、１９１ｂの面積は互いに異なってもよい。例としては、第２副画素電極１９１ｂは、第１副画素電極１９１ａに比べて高い電圧の印加を受け、第１副画素電極１９１ａより面積が大きくされうる。
【０１２７】
液晶分子が傾く角度は電場の強さによって変わるが、２つの液晶キャパシタＣｌｃａ、Ｃｌｃｂの電圧が互いに異なるので、液晶分子が傾く角度が異なり、そのため２つの副画素の輝度が異なる。したがって、第１液晶キャパシタＣｌｃａの電圧と第２液晶キャパシタＣｌｃｂの電圧とを適切に合せれば、側面から見る映像を正面から見る映像に最大限近づけることがでる。すなわち、側面ガンマ曲線を正面ガンマ曲線に最大限近づけることができ、これによって側面視認性を向上することができる。
【０１２８】
また、高い電圧の印加を受ける第１副画素電極１９１ａの面積を第２副画素電極１９１ｂの面積より小さくすれば、側面ガンマ曲線を正面ガンマ曲線にさらに近づけることができる。特に、第１副画素電極１９１ａおよび第２副画素電極１９１ｂの面積比がほぼ１：２〜１：３の場合、側面ガンマ曲線が正面ガンマ曲線により一層近くなって側面視認性がさらに良くなる。
【０１２９】
副画素電極１９１ａ、１９１ｂの間の電圧差によって副次的に生成される副電場（ｓｅｃｏｎｄａｒｙ  ｅｌｅｃｔｒｉｃ  ｆｉｅｌｄ）の方向は、副画素領域の辺と垂直である。したがって、副電場の方向と主電場の水平成分の方向と一致する。結局、副画素電極１９１ａ、１９１ｂの間の副電場は、液晶分子の傾斜方向の決定を強化するように作用する。
【０１３０】
また、本発明の第２実施形態に係る液晶表示装置の構成要素である液晶表示装置組立体は、図１０および図１１に示すように、図３〜図５に示す本発明の第１実施形態に係る液晶表示装置の構成要素である液晶表示板組立体とは異なり、２つのゲート線１２１ａ、１２１ｂ、ゲート電極１２４ａ、１２４ｂ、島型半導体１５４ａ、１５４ｂ、ソース電極１７３ａ、１７３ｂ、及びドレイン電極１７５ａ、１７５ｂを含む。
【０１３１】
第１／第２ゲート電極１２４ａ／１２４ｂ、第１／第２ソース電極１７３ａ／１７３ｂ、および第１／第２ドレイン電極１７５ａ／１７５ｂは、第１／第２半導体１５４ａ、１５４ｂと共に第１／第２薄膜トランジスタ（ｔｈｉｎ  ｆｉｌｍ  ｔｒａｎｓｉｓｔｏｒ、ＴＦＴ）Ｑａ／Ｑｂをなし、第１／第２薄膜トランジスタＱａ／Ｑｂのチャネル（ｃｈａｎｎｅｌ）は、第１／第２ソース電極１７３ａ／１７３ｂと第１／第２ドレイン電極１７５ａ／１７５ｂとの間の第１／第２半導体１５４ａ／１５４ｂに形成される。
【０１３２】
さらに、半導体１５４ａ、１５４ｂは、データ線１７１およびドレイン電極１７５ａ、１７５ｂに沿って延長されて線状半導体１５１をなし、オーミックコンタクト部材１６３ｂは、データ線１７１に沿って延長されて線状オーミックコンタクト部材１６１をなす。線状半導体１５１は、データ線１７１、ドレイン電極１７５ａ、１７５ｂ、およびその下部のオーミックコンタクト部材１６１、１６５ｂと実質的に同一の平面形状を有する。
【０１３３】
このような本実施形態に係る液晶表示板は、データ線１７１とドレイン電極１７５ａ、１７５ｂ、半導体１５１、およびオーミックコンタクト部材１６１、１６５ｂを一回の写真工程によって形成する。
【０１３４】
写真工程で用いる感光膜は、位置によって厚さが異なるようにし、特に厚さが薄くなる順で第１部分と第２部分とを有する。第１部分は、データ線１７１とドレイン電極１７５ａ、１７５ｂが占める配線領域に位置し、第２部分は、薄膜トランジスタのチャネル領域に位置する。
【０１３５】
位置によって感光膜の厚さを変える方法は多様であり、例えば、光マスクに透光領域（ｌｉｇｈｔ  ｔｒａｎｓｍｉｔｔｉｎｇ  ａｒｅａ）および遮光領域（ｌｉｇｈｔ  ｂｌｏｃｋｉｎｇ  ａｒｅａ）の他に、半透明領域（ｔｒａｎｓｌｕｃｅｎｔ  ａｒｅａ）を設ける方法がある。半透明領域には、スリットパターン（ｓｌｉｔ  ｐａｔｔｅｒｎ）、格子パターン（ｌａｔｔｉｃｅ  ｐａｔｔｅｒｎ）、または透過率が中間であるか厚さが中間である薄膜が備えられる。スリットパターンを用いる際には、スリットの幅やスリットの間の間隔が写真工程に使用する露光器の分解能（ｒｅｓｏｌｕｔｉｏｎ）より小さいことが好ましい。他の方法としては、リフローの可能な感光膜を用いる方法がある。つまり、透光領域と遮光領域のみを有する通常の露光マスクでリフローの可能な感光膜を形成した後、リフローさせて感光膜が残留しない領域に流れるようにすることによって、薄い部分を形成する方法がある。
【０１３６】
このようにすると、一回の写真工程を減らすことができるので、製造方法が簡単になる。
【０１３７】
図３〜図５に示す液晶表示板組立体の多くの特徴が、図１０および図１１に示す液晶表示板組立体にも当てはまる。
【０１３８】
次に、本発明の第３実施形態に係る液晶表示装置の構成要素である液晶表示板組立体を、図８、図１２〜図１３を参照して詳細に説明する。
【０１３９】
図１２は、本発明の第３実施形態に係る液晶表示装置の構成要素である液晶表示板組立体の一つの画素に対する等価回路図である。
【０１４０】
図１２に示すように、本発明の第３実施形態に係る液晶表示装置の構成要素である液晶表示板組立体は、複数のゲート線ＧＬ、複数対のデータ線（第１データ線、第２データ線）ＤＬｃ、ＤＬｄ、および複数の維持電極線ＳＬを含む信号線と、これに接続された複数の画素ＰＸとを含む。
【０１４１】
各画素ＰＸは、一対の副画素ＰＸｃ、ＰＸｄを含み、各副画素ＰＸｃ／ＰＸｄは、各々対応するゲート線ＧＬおよびデータ線ＤＬｃ／ＤＬｄに接続されるトランジスタからなるスイッチング素子（第１薄膜トランジスタ／第２薄膜トランジスタ）Ｑｃ／Ｑｄと、これに接続された液晶キャパシタＣｌｃｃ／Ｃｌｃｄと、スイッチング素子Ｑｃ／Ｑｄおよび維持電極線ＳＬに接続されるストレージキャパシタＣｓｔｃ／Ｃｓｔｄとを含む。
【０１４２】
各スイッチング素子Ｑｃ／Ｑｄは、下部表示板１００に備えられる薄膜トランジスタといった三端子素子であって、その制御端子はゲート線ＧＬと接続され、入力端子はデータ線ＤＬｃ／ＤＬｄと接続され、出力端子は液晶キャパシタＣｌｃｃ／ＣｌｃｄおよびストレージキャパシタＣｓｔｃ／Ｃｓｔｄと接続される。
【０１４３】
液晶キャパシタＣｌｃｃ、ＣｌｃｄとストレージキャパシタＣｓｔｃ、Ｃｓｔｄ、およびこのような液晶表示板組立体を含む液晶表示装置の動作については、前述した第１実施形態、第２実施形態と実質的に同一であるので、詳細な説明は省略する。ただし、図９に示す本発明の第２実子形態に係る液晶表示装置の構成要素である液晶表示板組立体においては、一つの画素ＰＸを構成する２つの副画素ＰＸａ、ＰＸａは時差をおいてデータ電圧の印加を受けるのに対し、本発明の第３実施形態に係る液晶表示装置の構成要素である液晶表示板組立体においては、２つの副画素ＰＸｃ、ＰＸｄが同一時にデータ電圧の印加を受ける。
【０１４４】
次に、図１２に示す本発明の第３実施形態に係る液晶表示装置の構成要素である液晶表示板組立体について、図１３を参照して詳細に説明する。
【０１４５】
図１３は、本発明の第３実施形態に係る液晶表示装置の構成要素である液晶表示板組立体の配置図である。
【０１４６】
本実施形態に係る液晶表示装置の構成要素である液晶表示板組立体は、互いに対向する下部表示板（図示せず）と上部表示板（図示せず）、これら２つの表示板の間に入っている液晶層（図示せず）、および表示板の外側面に付着されている一対の偏光子（図示せず）を含む。
【０１４７】
図１３に示す本発明の第３実施形態に係る液晶表示装置の構成要素である液晶表示板組立体の層状構造は、ほぼ図３〜図５に示す本発明の第１実施形態に係る液晶表示装置の構成要素である液晶表示板組立体の層状構造と同様である。
【０１４８】
図１３に示す本発明の第３実施形態に係る液晶表示装置の構成要素である液晶表示板組立体の下部表示板について説明する。絶縁基板（図示せず）上に複数のゲート線１２１および複数の維持電極線１３１を含むゲート導電体が形成されている。各ゲート線１２１は、複数対の第１ゲート電極１２４ｃ、および第２ゲート電極１２４ｄと、端部１２９とを含む。各維持電極線１３１は、維持電極１３７ａ、１３７ｂを含む。ゲート導電体をなすゲート線１２１上にはゲート絶縁膜（図示せず）が形成される。ゲート絶縁膜上には第１島型半導体１５４ｃおよび第２島型半導体１５４ｄが形成され、その上には複数のオーミックコンタクト部材（図示せず）が形成される。オーミックコンタクト部材上には複数対の第１データ線１７１ｃおよび第２データ線１７１ｄと、複数の第１ドレイン電極１７５ｃおよび第２ドレイン電極１７５ｄとを含むデータ導電体が形成される。第１データ線１７１ｃおよび第２データ線１７１ｄは、各々複数の第１ソース電極１７３ｃおよび第２ソース電極１７３ｄと、端部１７９ｃ、１７９ｄとを含む。第１ソース電極１７３ｃおよび第２ソース電極１７３ｄは、各々第１接続部１７４ｃ、１７４ｄおよび第２接続部１７８ｃ、１７８ｄを通じて第１データ線１７１ｃおよび第２データ線１７１ｄに接続される。データ導電体１７１ｃ、１７１ｄ、１７５ｃ、１７５ｄ、および露出した半導体１５４ｃ、１５４ｄの部分上には保護膜（図示せず）が形成され、保護膜およびゲート絶縁膜には複数のコンタクトホール１８１、１８２ｃ、１８２ｄ、１８５ｃ、１８５ｄが形成される。保護膜上には第１副画素電極１９１ａおよび第２副画素電極１９１ｂを含む複数の画素電極１９１と、複数のコンタクト補助部材８１、８２ｃ、８２ｄが形成される。画素電極１９１、コンタクト補助部材８１、８２ｃ、８２ｄ、および保護膜上には配向膜（図示せず）が形成される。
【０１４９】
図１３に示す液晶表示板組立体に対向して位置させる上部表示板について説明する。絶縁基板（図示せず）上に遮光部材（図示せず）、複数のカラーフィルタ（図示せず）、蓋膜（図示せず）、共通電極（図示せず）、及び配向膜（図示せず）が形成される。
【０１５０】
しかし、図１３に示す本発明の第３実施形態に係る液晶表示装置の構成要素である液晶表示板組立体においては、図９および図１０に示す本発明の第２実施形態に係る液晶表示装置の構成要素である液晶表示板組立体と比較するとき、ゲート線１２１の数が半分であり、その代わりにデータ線１７１ｃ、１７１ｄの数が２倍である。そして、一つの画素電極１９１をなす第１副画素電極１９１ａおよび第２副画素電極１９１ｂに接続された第１薄膜トランジスタＱｃおよび第２薄膜トランジスタＱｄが、同一のゲート線１２１、互いに異なるデータ線１７１ｃ、１７１ｄに接続される。
【０１５１】
図３〜図５に示す本発明の第１実施形態に係る液晶表示装置の構成要素である液晶表示板組立体の多くの特徴が、図１３に示す液晶表示板組立体にも当てはまる。
【０１５２】
次に、図１４、図１５、および図１６を参照して、図８に示す本発明の第４実施形態に係る液晶表示装置の構成要素である液晶表示板組立体について詳細に説明する。
【０１５３】
図１４は、本発明の第４実施形態に係る液晶表示装置の構成要素である液晶表示板組立体の一つの画素の等価回路図である。
【０１５４】
図１４に示すように、本実施形態に係る液晶表示装置の構成要素である液晶表示板組立体は、複数のゲート線ＧＬと複数のデータ線ＤＬを含む信号線と、これに接続されている複数の画素ＰＸとを含む。
【０１５５】
各画素ＰＸは、一対の第１副画素ＰＸｅおよび第２副画素ＰＸｆと、２つの副画素ＰＸｅ、ＰＸｆの間に接続されている結合キャパシタＣｃｐとを含む。
【０１５６】
第１副画素ＰＸｅは、対応するゲート線ＧＬおよびデータ線ＤＬに接続されているスイッチング素子Ｑと、これに接続された第１液晶キャパシタＣｌｃｅと、ストレージキャパシタＣｓｔｅとを含み、第２副画素ＰＸｆは、結合キャパシタＣｃｐと接続されている第２液晶キャパシタＣｌｃｆを含む。結合キャパシタＣｃｐは、第１副画素電極と第２副画素電極を容量的に結合させる。すなわち、結合キャパシタＣｃｐは、第１副画素電極と第２副画素電極を容量性結合させる。
【０１５７】
スイッチング素子Ｑは、下部表示板１００に備えられている薄膜トランジスタといった三端子素子であって、その制御端子はゲート線ＧＬと接続され、入力端子はデータ線ＤＬと接続され、出力端子は液晶キャパシタＣｌｃｅ、ストレージキャパシタＣｓｔｅ、および結合キャパシタＣｃｐと接続される。
【０１５８】
スイッチング素子Ｑは、ゲート線ＧＬからのゲート信号によってデータ線ＤＬからのデータ電圧を第１液晶キャパシタＣｌｃｅおよび結合キャパシタＣｃｐに印加し、結合キャパシタＣｃｐは、この電圧を、大きさを変えて第２液晶キャパシタＣｌｃｆに伝達する。
【０１５９】
ストレージキャパシタＣｓｔｅに共通電圧Ｖｃｏｍが印加された場合、キャパシタＣｌｃｅ、Ｃｓｔｅ、Ｃｌｃｆ、Ｃｃｐとその静電容量を対応する容量と同一の図面符号を用いて、第１液晶キャパシタＣｌｃｅに充電された電圧Ｖｅと、第２液晶キャパシタＣｌｃｆに充電された電圧Ｖｆとの関係を示すと、式（１）の通りとなる。
【０１６０】
Ｖｆ＝Ｖｅ×[Ｃｃｐ／（Ｃｃｐ＋Ｃｌｃｆ）]      ・・・（１）
Ｃｃｐ／（Ｃｃｐ＋Ｃｌｃｆ）の値は、１より小さいので、第２液晶キャパシタＣｌｃｆに充電された電圧Ｖｆは第１液晶キャパシタＣｌｃｅに充電された電圧Ｖｅに比べて常に小さい。この関係は、ストレージキャパシタＣｓｔｅに印加された電圧が共通電圧Ｖｃｏｍでなくても同様に成立する。
【０１６１】
第１液晶キャパシタＣｌｃｅの電圧Ｖｅと、第２液晶キャパシタＣｌｃｆの電圧Ｖｆとの適正な比率は、結合キャパシタＣｃｐの静電容量を調節することによって得られうる。
【０１６２】
次に、このような液晶表示板組立体について、図１５および図１６を参照して詳細に説明する。
【０１６３】
図１５は、本発明の第４実施形態に係る液晶表示装置の構成要素である液晶表示板組立体を示す配置図であり、図１６は、図１５に示す液晶表示板組立体のＸＶＩ−ＸＶＩ線に沿った断面図である。
【０１６４】
図１５に示すように、本実施形態に係る液晶表示装置の構成要素である液晶表示板組立体も、互いに対向する下部表示板１００と上部表示板２００、これら２つの表示板の間に入っている液晶層３、および表示板の外側面に実装されている一対の偏光子１２、２２を含む。
【０１６５】
本実施形態に係る液晶表示装置の構成要素である液晶表示板組立体の層状構造は、ほぼ図３〜図５に示す本発明の第１実施形態に係る液晶表示装置の構成要素である液晶表示板組立体の層状構造と同様である。
【０１６６】
下部表示板１００について説明する。絶縁基板１１０上に複数のゲート線１２１と、維持電極線１３１とを含む複数のゲート導電体が形成される。各ゲート線１２１は、ゲート電極１２４と端部１２９とを含み、維持電極線１３１は維持電極１３７を含む。ゲート導電体をなすゲート線１２１上にはゲート絶縁膜１４０が形成される。ゲート絶縁膜１４０上には島型半導体１５４が形成され、その上には複数のオーミックコンタクト部材１６３、１６５が形成される。オーミックコンタクト部材１６３、１６５およびゲート絶縁膜１４０上には複数のデータ線１７１と複数のドレイン電極１７５とを含むデータ導電体が形成される。データ線１７１は、複数のソース電極１７３と端部１７９とを含む。ソース電極１７３は、第１接続部１７４および第２接続部１７８を通じてデータ線１７１と接続される。データ導電体をなすデータ線１７１、ドレイン電極１７５および露出した半導体１５４の部分上には保護膜１８０が形成され、保護膜１８０およびゲート絶縁膜には複数のコンタクトホール１８１、１８２、１８５が形成される。保護膜１８０上には複数の画素電極１９１と複数のコンタクト補助部材８１、８２とが形成される。画素電極１９１、コンタクト補助部材８１、８２、および保護膜１８０上には配向膜１１が形成される。
【０１６７】
上部表示板２００について説明する。絶縁基板２１０上に遮光部材２２０、蓋膜２５０、共通電極２７０、および配向膜２１が形成される。
【０１６８】
本実施形態に係る液晶表示装置の構成要素である液晶表示板組立体の画素電極１９１および共通電極２７０は、図３に示す本発明の第１実施形態に係る液晶表示装置の構成要素である液晶表示板組立体の画素電極１９１および共通電極２７０と形態が類似する。しかし、本実施形態による画素電極１９１は、図３とは異なり、互いに分離されている第１副画素電極１９１ａおよび第２副画素電極１９１ｂを含む。第１副画素電極１９１ａは、コンタクトホール１８５を通じてドレイン電極１７５と接続される。
【０１６９】
本実施形態に係る液晶表示装置の構成要素である液晶表示板組立体において、ドレイン電極１７５は結合電極（ｃｏｕｐｌｉｎｇ  ｅｌｅｃｔｒｏｄｅ）１７６を含む。結合電極１７６は、データ線１７１と実質的に平行に伸び、共通電極２７０の下部切開部７２ｂに沿って伸びる。
【０１７０】
結合電極１７６は第２副画素電極１９１ｂと重畳する。結合電極１７６と第２副画素電極１９１ｂは結合キャパシタＣｃｐを構成する。
【０１７１】
本実施形態に係る液晶表示装置の構成要素である液晶表示板組立体は、前述した液晶表示板組立体とは異なり、上部表示板２００にカラーフィルタがなく、下部表示板１００の保護膜１８０の下に複数のカラーフィルタ２３０が形成される。
【０１７２】
カラーフィルタ２３０は、画素電極１９１の列に沿って周期的に折れながら縦に長く伸びており、ゲート線１２１の端部１２９およびデータ線１７１の端部１７９が位置する周辺領域には存在しない。カラーフィルタ２３０にはコンタクトホール１８５が通過し、コンタクトホール１８５より大きい貫通孔２３５が形成される。
【０１７３】
隣接するカラーフィルタ２３０は、データ線１７１の上で重畳して隣接する画素電極１９１の間から漏洩する光を遮断する遮光部材の機能を有しうる。この場合、上部表示板２００の遮光部材を省略することができ、これによって工程が簡素化される。
【０１７４】
カラーフィルタ２３０の下にも保護膜（図示せず）を設けることができる。
【０１７５】
共通電極表示板２００の蓋膜２５０は省略できる。
【０１７６】
図３〜図５に示す本発明の第１実施形態に係る液晶表示装置の構成要素である液晶表示板組立体の多くの特徴が、図１５および図１６に示す液晶表示板組立体にも当てはまる。
【０１７７】
次に、図１７および図１８を参照して、本発明の第５実施形態に係る液晶表示装置の構成要素である液晶表示装置について詳細に説明する。
【０１７８】
図１７を参照すれば、本発明の第５実施形態に係る液晶表示装置は、液晶表示板組立体（ｌｉｑｕｉｄ  ｃｒｙｓｔａｌ  ｐａｎｅｌ  ａｓｓｅｍｂｌｙ）３００、これに接続された一対のゲート駆動部４００ａ、４００ｂおよびデータ駆動部５００、維持電極駆動部７００、データ駆動部５００に接続された階調電圧生成部８００、ならびにこれらを制御する信号制御部６００を含む。
【０１７９】
液晶表示板組立体３００は、等価回路の観点からは、複数の表示信号線と、これに接続され、ほぼ行列状に配列された複数の画素ＰＸ１、ＰＸ２、ＰＸ３とを含む。図１７の第５実施形態に係る液晶表示装置は、図１の第１実施形態に係る液晶表示装置とは異なり、各画素ＰＸ１、ＰＸ２、ＰＸ３が行方向に長い形状を有する。すなわち、第５実施形態に係る液晶表示装置は、図１の第１実施形態に係る液晶表示装置と比較して、ゲート線Ｇ１〜Ｇｎの数は３倍であり、データ線Ｄ１〜Ｄｍの数は１／３倍である。
【０１８０】
行方向に隣接する３つの画素ＰＸ１、ＰＸ２、ＰＸ３は、互いに異なる３つの色のカラーフィルタを有し、３つの色は、赤色、緑色、青色のうちのいずれか一つでありうる。三原色の画素ＰＸ１〜ＰＸ３は、映像表示の基本単位である一つのドットＤＴを構成する。
【０１８１】
図１７を参照すれば、各画素列は２つのデータ線と隣接し、その画素列内の画素ＰＸ１、ＰＸ２、ＰＸ３は、２つの画素ずつＰＸ１、ＰＸ２、ＰＸ３これら２つのデータ線に交互に接続される。つまり、各画素列に隣接した２つの画素ＰＸ１、ＰＸ２、ＰＸ３のスイッチング素子Ｑは、互いに同じデータ線Ｄ１〜Ｄｍに接続され、次の２つの画素ＰＸ１、ＰＸ２、ＰＸ３のスイッチング素子Ｑは、前の２つの画素ＰＸ１、ＰＸ２、ＰＸ３のスイッチング素子Ｑと異なるデータ線Ｄ１〜Ｄｍに接続される。
【０１８２】
しかし、スイッチング素子Ｑのこのような接続関係は多様に変更できる。
【０１８３】
ゲート駆動部４００ａ、４００ｂは、信号線Ｇ１〜Ｇｎ、Ｄ１〜Ｄｍおよび薄膜トランジスタスイッチング素子Ｑと共に液晶表示板組立体３００に集積されており、液晶表示板組立体３００の左側と右側に各々位置している。ゲート駆動部４００ａ、４００ｂは、それぞれ奇数番目ゲート線と偶数番目ゲート線に交互に接続されており、ゲートオン電圧Ｖｏｎとゲートオフ電圧Ｖｏｆｆとの組み合わせからなるゲート信号をゲート線Ｇ１〜Ｇｎに印加する。しかし、ゲート駆動部４００ａ、４００ｂは、組立体３００のいずれか一方にだけ設けてもよい。
【０１８４】
データ駆動部５００、信号制御部６００、および階調電圧生成部８００に関するその他の詳細な説明は、本発明の第１実施形態に係る液晶表示装置（図１）と同様であるので省略する。
【０１８５】
次に、図１８を参照して、図１７に示す本発明の第５実施形態に係る液晶表示装置の構成要素である液晶表示板組立体について詳細に説明する。
【０１８６】
図１８に示すように、本実施形態に係る液晶表示板組立体も、互いに対向する下部表示板（図示せず）と上部表示板（図示せず）、およびこれら２つの表示板の間に位置する液晶層（図示せず）を含む。
【０１８７】
本実施形態による液晶表示板組立体の層状構造は、ほとんど図３〜図５に示す本発明の第１実施形態に係る液晶表示装置の構成要素である液晶表示板組立体の層状構造と同様である。
【０１８８】
下部表示板１００について説明する。絶縁基板１１０上に複数のゲート線１２１が形成される。各ゲート線１２１は、ゲート電極１２４と端部１２９とを含む。ゲート導電体１２１上にはゲート絶縁膜１４０が形成される。ゲート絶縁膜１４０上には島型半導体１５４が形成され、その上には複数のオーミックコンタクト部材１６３、１６５が形成される。オーミックコンタクト部材１６３、１６５およびゲート絶縁膜１４０上には複数のデータ線１７１、複数のドレイン電極１７５、および維持電極線１３１を含むデータ導電体が形成されている。データ線１７１は、複数のソース電極１７３と端部１７９とを含む。ソース電極１７３は接続部１７４、１７８を通じてデータ線１７１に接続される。維持電極線１３１は維持電極１３７を含む。データ導電体をなすデータ線１７１、ドレイン電極１７５および露出した半導体１５４の部分上には保護膜１８０が形成され、保護膜１８０およびゲート絶縁膜１４０には複数のコンタクトホール１８１、１８２、１８５が形成される。保護膜上には複数の画素電極１９１と複数のコンタクト補助部材８１、８２とが形成される。画素電極１９１、コンタクト補助部材８１、８２、および保護膜上には配向膜１１が形成される。
【０１８９】
上部表示板について説明する。絶縁基板２１０上に遮光部材２２０、複数のカラーフィルタ２３０、蓋膜２５０、共通電極２７０、および配向膜２１が形成される。
【０１９０】
図１８に示す液晶表示板組立体は、図３に示す本発明の第１実施形態に係る液晶表示装置の構成要素である液晶表示板組立体とは異なり、各画素電極１９１は、ゲート線１２１およびデータ線１７１とほぼ平行する４つの主辺を有する。このうち、ゲート線１２１と平行する２つの横辺１９１ｈは、データ線１７１と平行する２つの縦辺１９１ｖの長さより長く、ほぼ３倍である。したがって、横辺が縦辺より小さい場合に比べ、各行に位置する画素電極１９１の数が少なく、その代わりに各列に位置する画素電極１９１の数が多い。したがって、データ線１７１の全体数が減るので、データ駆動部５００用の集積回路チップの数を減らして材料費を節減することができる。もちろん、ゲート線１２１の数がその分だけ増えるが、ゲート駆動部４００ａ、４００ｂはゲート線１２１、データ線１７１、薄膜トランジスタと共に組立体３００に集積できるので、ゲート線１２１の数の増加は特に問題にならない。また、ゲート駆動部４００ａ、４００ｂが集積回路チップの形態で装着されても、ゲート駆動部４００ａ、４００ｂ用の集積回路チップの値段が相対的に安いため、データ駆動部５００用の集積回路チップの数を減らすことが有利である。
【０１９１】
画素電極１９１は、維持電極１３７をはじめとする維持電極線１３１と重畳して、液晶キャパシタの電圧維持能力を強化するストレージキャパシタを構成する。維持電極線１３１の幹線は、画素電極１９１の中央を縦に横切り、幹線から左右に拡張された維持電極１３７を含む。したがって、このような配置とすることにより、維持電極線１３１はデータ導電体と同一層に位置し、同一材質からなる。
【図面の簡単な説明】
【０１９２】
【図１】本発明の第１実施形態に係る液晶表示装置のブロック図である。
【図２】本発明の第１実施形態に係る液晶表示装置の一つの画素に関する等価回路図である。
【図３】本発明の第１実施形態に係る液晶表示装置の構成要素である液晶表示板組立体の配置図である。
【図４】図３に示す液晶表示板組立体のＩＶ−ＩＶ線に沿った断面図である。
【図５】図３に示す液晶表示板組立体のＶ−Ｖ線に沿った断面図である。
【図６】本発明の第１実施形態に係る液晶表示装置を修理する方法を説明する図面である。
【図７ａ】本発明の第１実施形態に係る液晶表示装置を修理する方法を説明する図面である。
【図７ｂ】図７ａのＶＩＩｂ−ＶＩＩｂ線に沿った断面図である。
【図８】本発明の第２実施形態に係る液晶表示装置の構成要素である液晶表示板組立体の２つの副画素に対する等価回路図である。
【図９】本発明の第２実施形態に係る液晶表示装置の構成要素である液晶表示板組立体の一つの画素に関する等価回路図である。
【図１０】本発明の第２実施形態に係る液晶表示装置の構成要素である液晶表示板組立体の配置図である。
【図１１】図１０に示す液晶表示板組立体のＸＩ−ＸＩ線に沿った断面図である。
【図１２】本発明の第３実施形態に係る液晶表示装置の構成要素である液晶表示板組立体の一つの画素に関する等価回路図である。
【図１３】本発明の第３実施形態に係る液晶表示装置の構成要素である液晶表示板組立体の配置図である。
【図１４】本発明の第４実施形態に係る液晶表示装置の構成要素である液晶表示板組立体の一つの画素に関する等価回路図である。
【図１５】本発明の第４実施形態係る液晶表示装置の構成要素である液晶表示板組立体の配置図である。
【図１６】図１５に示す液晶表示板組立体のＸＶＩ−ＸＶＩ線に沿った断面図である。
【図１７】本発明の第５実施形態に係る液晶表示装置のブロック図である。
【図１８】本発明の第５実施形態に係る液晶表示装置の構成要素である液晶表示板組立体の配置図である。
【符号の説明】
【０１９３】
１２、２２    偏光板、
１１、２１    配向膜、
７１ａ、７１ｂ、７２    共通電極切開部、
８１、８１ａ、８１ｂ、８２、８２ａ、８２ｂ  コンタクト補助部材、
９１ａ、９１ｂ、９２ａ、９２ｂ    画素電極切開部、
９４    間隙、
１１０、２１０    基板、
１２１、１２１ａ、１２１ｂ、１２９ａ、１２９ｂ    ゲート線、
１２４、１２４ａ、１２４ｂ    ゲート電極、
１３１    維持電極線、
１３７、１３７ａ、１３７ｂ    維持電極、
１４０    ゲート絶縁膜、
１５４、１５４ａ、１５４ｂ、１５４ｃ、１５４ｄ    半導体、
１６１、１６３ａ、１６５ａ、１６３ｂ、１６５ｂ    オーミックコンタクト部材、
１７１、１７１ｃ、１７１ｄ、１７６、１７９、１７９ｃ、１７９ｄ    データ線、
１７３、１７３ａ、１７３ｂ、１７３ｃ、１７３ｄ    ソース電極、
１７４    第１接続部、
１７５、１７５ａ、１７５ｂ、１７５ｃ、１７５ｄ、１７７ａ、１７７ｂ、１７７ｃ、１７７ｄ    ドレイン電極、
１７８    第２接続部、
１８０    保護膜、
１８１、１８１ａ、１８１ｂ、１８２、１８２ｃ、１８２ｄ、１８５、１８５ａ、１８５ｂ、１８５ｃ、１８５ｄ    コンタクトホール、
１９１、１９１ａ、１９１ｂ    画素電極、
２２０    遮光部材、
２３０    カラーフィルタ、
２５０    蓋膜、
２７０    共通電極、
３００    液晶表示板組立体、
４００    ゲート駆動部、
５００    データ駆動部、
６００    信号制御部、
８００    階調電圧生成部。
【図１】
2008033323.tif 000003
【図２】
2008033323.tif 000004
【図３】
2008033323.tif 000005
【図４】
2008033323.tif 000006
【図５】
2008033323.tif 000007
【図６】
2008033323.tif 000008
【図７ａ】
2008033323.tif 000009
【図７ｂ】
2008033323.tif 000010
【図８】
2008033323.tif 000011
【図９】
2008033323.tif 000012
【図１０】
2008033323.tif 000013
【図１１】
2008033323.tif 000014
【図１２】
2008033323.tif 000015
【図１３】
2008033323.tif 000016
【図１４】
2008033323.tif 000017
【図１５】
2008033323.tif 000018
【図１６】
2008033323.tif 000019
【図１７】
2008033323.tif 000020
【図１８】
2008033323.tif 000021